(57)【要約】      （修正有）【課題】車両から路面に描画された発進通知表示を見た歩行者等に当該車両の発進するタイミングを正確に把握させる路面描画装置をの提供する。【解決手段】車両Ｃに搭載され、制御部の制御に基づいて車両の進行方向の路面に路面表示を光で描画する路面描画部を有する車両の路面描画装置３において、車両Ｃの走行車線２８ａの曲線形態を検出する車線形態検出部を有する。制御部は、検出した走行車線２８ａの曲線形態に倣った形状の路面表示２７を、走行車線２８ａ内の路面に描画するように路面描画部を制御する。【選択図】図５
2020075708.tif 000002
【特許請求の範囲】
【請求項１】
車両に搭載され、制御部の制御に基づいて車両の進行方向の路面に路面表示を光で描画する路面描画部を有する車両の路面描画装置において、
車両の走行車線の曲線形態を検出する車線形態検出部を有し、
前紀制御部が、検出された走行車線の曲線形態に倣った形状の路面表示を走行車線内の路面に描画するように路面描画部を制御することを特徴とする、車両の路面描画装置。
【請求項２】
車両の速度を検出する車速検出部を有し、
前記路面表示は、車両の停止位置を示す衝突警告表示であり、
前記制御部は、車速に基づく制動距離と制動距離に基づく車両の停止可能位置を算出し、走行車線の曲線形態に倣って車両近傍から車両の停止可能位置まで伸びる前記衝突警告表示を路面に描画するように路面描画部を制御することを特徴とする、請求項１に記載の車両の路面描画装置。
【請求項３】
車両の走行車線または走行車線近傍の路上障害物を検出する障害物検出部を有し、
前記制御部は、路上障害物の検出時にのみ衝突警告表示を路面に描画するように路面描画部を制御することを特徴とする、請求項２に記載の車両の路面描画装置。
【請求項４】
前記制御部が、障害物検出部による路上障害物の検出に基づいて路上障害物の位置を算出し、車両から路上障害物まで伸びる第２の衝突警告表示を路面に描画するように路面描画部を制御することを特徴とする、請求項３に記載の車両の路面描画装置。
【請求項５】
車両の制動距離の変化を検出する制動距離変化検出部を有し、
前記制御部は、検出された制動距離の変化に基づいて、車速から算出される制動距離と停止可能位置を補正し、車両から補正後の停止可能位置までの伸びる衝突警告表示を路面に描画するように路面描画部を制御することを特徴とする、請求項１から４のうちいずれかに記載の車両の路面描画装置。
【請求項６】
前記制動距離変化検出部は、路面の湿潤化を車両の制動距離の変化として検出する湿潤路面検出部であり、
前記制御部は、降雨の検出に基づき、車速から算出される制動距離をより長く補正することを特徴とする、請求項５に記載の車両の路面描画装置。
【請求項７】
前記制動距離変化検出部は、車両の走行車線の勾配を車両の制動距離の変化として検出する道路勾配検出部であり、
前記制御部は、走行車線の登り勾配の検出に基づいて車速から算出される制動距離をより短く補正し、または走行車線の下り勾配の検出に基づいて車速から算出される制動距離をより長く補正することを特徴とする、請求項５に記載の車両の路面描画装置。
【請求項８】
車両の走行中の道路が暗くなったことを検出する道路の明暗検出部を有し、
前記制御部は、道路が暗くなったことの検出に基づいて衝突警告表示を路面に描画するように路面描画部を制御することを特徴とする、請求項１から７のうちいずれかに記載の車両の路面描画装置。
【請求項９】
前記路面描画部は、レーザー光によって路面に衝突警告表示を描画することを特徴とする、請求項１から８のうちいずれかに記載の車両の路面描画装置。
【発明の詳細な説明】
【技術分野】
【０００１】
路上障害物との衝突を警告するための表示を路面に描画する車両の路面描画装置に関する。
【背景技術】
【０００２】
特許文献１には、車速に応じた制動距離を算出し、車両から車両の制動距離分前方の停止可能位置まで伸びる路面表示を車両前方の走行車線の路面に描画し、停止可能位置の手前に存在する前走車や歩行者等の路上障害物に対する衝突の危険性をドライバーに認識させる車両の路面描画装置が図５と図８に開示されている。
【先行技術文献】
【特許文献】
【０００３】
【特許文献１】特開２０１５−１６４８２８号公報
【発明の概要】
【発明が解決しようとする課題】
【０００４】
特許文献１の車両の路面描画装置は、車両の前方路面に直線状の路面表示を描画するため、曲線道路にマークを描画すると、走行車線からはみ出すことによってドライバーに走行車線の危険性を認識させることが出来ない点で問題がある。
【０００５】
本願発明は、上記問題に鑑みて、曲線道路のような多様な形状を有する道路を走行中の車両のドライバーに走行車線の危険性を認識させる車両の路面描画装置を提供するものである。
【課題を解決するための手段】
【０００６】
車両に搭載され、制御部の制御に基づいて車両の進行方向の路面に路面表示を光で描画する路面描画部を有する車両の路面描画装置において、
車両の走行車線の曲線形態を検出する車線形態検出部を有し、
前紀制御部が、検出された走行車線の曲線形態に倣った形状の路面表示を走行車線内の路面に描画するように路面描画部を制御するようにした。
【０００７】
（作用）路面表示が、走行車線の内側で曲線形態を有する走行車線に沿って表示される。
【０００８】
また、車両の路面描画装置において、車両の速度を検出する車速検出部を有し、前記警告表示は、車両の停止位置を示す衝突警告表示であり、前記制御部は、車速に基づく制動距離と制動距離に基づく車両の停止可能位置を算出し、走行車線の曲線形態に倣って車両近傍から車両の停止可能位置まで伸びる前記衝突警告表示を路面に描画するように路面描画部を制御することが望ましい。
【０００９】
（作用）衝突警告表示が、走行車線の内側で曲線形態を有する走行車線に沿って車両近傍から曲線道路上における車両の停止可能位置まで描画される。
【００１０】
また、車両の路面描画装置において、車両の走行車線または走行車線近傍の路上障害物を検出する障害物検出部を有し、前記制御部は、路上障害物の検出時にのみ衝突警告表示を路面に描画するように路面描画部を制御することが望ましい。
【００１１】
（作用）衝突警告表示が、路上障害物の検出時にのみ路面に描画され、路上障害物の非検出時に路面に描画されない。
【００１２】
また、車両の路面描画装置において、前記制御部が、障害物検出部による路上障害物の検出に基づいて路上障害物の位置を算出し、車両から路上障害物まで伸びる第２の衝突警告表示を路面に描画するように路面描画部を制御することが望ましい。
【００１３】
（作用）車両近辺の路上障害物を検出した際に第２の衝突警告表示が、車両から検出された路上障害物まで伸びるように描画される。
【００１４】
また、車両の路面描画装置において、車両の制動距離の変化を検出する制動距離変化検出部を有し、前記制御部は、検出された制動距離の変化に基づいて、車速から算出される制動距離と停止可能位置を補正し、車両から補正後の停止可能位置までの伸びる衝突警告表示を路面に描画するように路面描画部を制御することが望ましい。
【００１５】
（作用）検出された車両の停止可能位置の変化に基づき、車両から停止可能位置まで伸びるように走行車線内に描画された衝突警告表示の車線に沿った方向の長さが変化する。
【００１６】
また、車両の路面描画装置において、前記制動距離変化検出部は、降雨や降雪、路面凍結等に基づく水分によって路面が滑りやすくなる路面の湿潤化を車両の制動距離の変化として検出する湿潤路面検出部であり、前記制御部は、降雨の検出に基づき、車速から算出される制動距離をより長く補正することが望ましい。
【００１７】
（作用）降雨や降雪、路面凍結等に基づく路面の湿潤化によって生じる制動距離の増加に基づき、車両から停止可能位置まで伸びるように走行車線内に描画された衝突警告表示の車線に沿った方向の長さが長くなる。
【００１８】
また、車両の路面描画装置において、前記制動距離変化検出部は、車両の走行車線の勾配を車両の制動距離の変化として検出する道路勾配検出部であり、前記制御部は、走行車線の登り勾配の検出に基づいて車速から算出される制動距離をより短く補正し、または走行車線の下り勾配の検出に基づいて車速から算出される制動距離をより長く補正することが望ましい。
【００１９】
（作用）車両の走行車線が上り勾配であって制動距離の減少が生じた場合において、車両から停止可能位置まで伸びるように走行車線内に描画された衝突警告表示の車線に沿った方向の長さがより短くなり、車両の走行車線が下り勾配であって制動距離の増加が生じた場合において、衝突警告表示の車線に沿った方向の長さがより長くなる。
【００２０】
また、車両の路面描画装置において、車両の走行中の道路が暗くなったことを検出する道路の明暗検出部を有し、前記制御部は、道路が暗くなったことの検出に基づいて衝突警告表示を路面に描画するように路面描画部を制御することを特徴とすることが望ましい。
【００２１】
（作用）衝突警告表示が、道路が暗くなった際にのみ路面に描画され、道路が明るい場合において路面に描画されない。
【００２２】
また、車両の路面描画装置において、前記路面描画部は、レーザー光によって路面に衝突警告表示を描画することが望ましい。
【００２３】
（作用）車両周辺が明るい昼間走行時などにおいて、衝突警告を含む路面表示が、レーザー光によって明確に描画される。
【発明の効果】
【００２４】
車両の路面描画装置によれば、路面表示が曲線形状の走行車線からはみ出すことなく走行車線上に描画されることでドライバーに走行車線上の危険性を認識させることが出来る。
【００２５】
車両の路面描画装置によれば、曲線形状を有する走行車線上における車両の停止可能位置まで衝突警告表示が描画されることにより、走行車線に描画された衝突警告表示上に存在する前走車や歩行者等の路上障害物について、曲線道路に対するハンドル操作に集中する車両のドライバーに対し、車両のドライバーに衝突の危険性があるものと認識させることが出来る。
【００２６】
車両の路面描画装置によれば、曲線道路に対するハンドル操作に集中する車両のドライバーに対し、衝突警告表示の点灯そのものによって路上障害物の検出を認識させることにより、路上障害物に対するより正確な注意喚起をドライバーに対して行うことが出来る。
【００２７】
車両の路面描画装置によれば、曲線道路に対するハンドル操作に集中する車両のドライバーに車両と検出された路上障害物との位置関係を認識させることにより、路上障害物に対するより正確な注意喚起をドライバーに対して行うことが出来る。
【００２８】
車両の路面描画装置によれば、路面状況の変化等に伴う車両の停止可能位置の変化に基づいて、衝突警告表示の先端部によって表される車両停止可能位置も前後に変化するため、停止可能位置の変化を車両のドライバーに正確に認識させることで、路上障害物に対するより正確な注意喚起をドライバーに対して行うことが出来る。
【００２９】
車両の路面描画装置によれば、降雨や降雪等に基づく路面の湿潤化による制動距離の増加に基づいて、衝突警告表示の先端部によって表される車両停止可能位置も車両からより遠くなるため、停止距離の増加を車両のドライバーに正確に認識させることで、路上障害物に対するより正確な注意喚起をドライバーに対して行うことが出来る。
【００３０】
車両の路面描画装置によれば、登り勾配を走行する際の車両の制動距離の減少に基づいて、衝突警告表示の先端部によって表される車両停止可能位置が車両かにより近くなり、下り勾配を走行する際の車両の制動距離の増加に基づいて、衝突警告表示の先端部によって表される車両停止可能位置が車両からより遠くなるため、曲線道路に対するハンドル操作に集中するドライバーに車両の停止距離の増減を正確に認識させることで、路上障害物に対するより正確な注意喚起をドライバーに対して行うことが出来る。
【００３１】
車両の路面描画装置によれば、曲線道路に対するハンドル操作に集中すべき車両のドライバーに対し、視野が狭くなる夜間走行時やトンネル走行時等の車両周辺が暗くなったときに衝突警告を含む路面表示を路面に描画して、路上障害物に対するより正確な注意喚起をドライバーに対して行うことが出来る。
【００３２】
車両の路面描画装置によれば、車両周辺が明るく、光が見にくい状況であっても衝突警告を含む路面表示をレーザー光によって路面に明確に描画して、路上障害物に対するより正確な注意喚起をドライバーに対して行うことが出来る（。
【図面の簡単な説明】
【００３３】
【図１】本願発明の実施形態に係る車両の路面描画装置のブロック図。
【図１Ａ】図１の路面描画装置の変形例を含む路面描画システムを示すブロック図。
【図２】路面描画装置の搭載車両に係る平面図
【図３】路面描画装置を含む車両用灯具に関する図２のI-I断面図。
【図４】路面描画部の光偏向装置に関する図であり、（ａ）図は、図３のII-II断面図であり、（ｂ）図は、（ａ）図のIII-III断面図である。
【図５】曲線道路の走行車線内に車両から衝突警告表示を描画する第１実施例の説明図。
【図６】湿潤路面状態における曲線道路の走行車線内に車両から衝突警告表示を描画する第２実施例の説明図。
【図７】勾配のある道路の路面に車両から衝突警告表示を描画する第３実施例の説明図であって、（ａ）図は、登り勾配の路面を示す図であり、（ｂ）図は、勾配０の路面を示す図であり、（ｃ）図は、下り勾配の路面を示す図である。
【発明を実施するための形態】
【００３４】
以下、本発明の好適な実施形態を図１から図４に基づいて説明する。各図においては、路面描画装置を含む車両用灯具の各部や路面描画装置の搭載車両のドライバーから見た道路の方向を（上方：下方：左方：右方：前方：後方＝Ｕｐ：Ｌｏ：Ｌｅ：Ｒｉ：Ｆｒ：Ｒｅ）として説明する。
【００３５】
図２に示す車両Ｃの左右一対の車両用前照灯１には、車両前方の路面に光を照射して所定形態の図形や文字等の路面表示を描画する、図１に示す路面描画装置３を含む路面描画用灯具２がそれぞれ搭載されている。左右一対の路面描画用灯具２は、重複光による合成路面表示、照射範囲を分担した分割表示の組み合わせからなる合成路面表示または分離された照射光による独立路面表示を路面に描画する。尚、路面描画装置３は、左右の車両用前照灯１のうち一方を省略しても良く、車体外部の中央等のいずれかの場所に搭載しても良い。
【００３６】
図１に示す路面描画装置３は、ＣＰＵなどの演算制御装置によって構成される制御部５，路面描画部６，撮影部７、カーナビゲーションシステム８，道路情報通信システム９、車速センサー１０，レーダーセンサー１１、レインセンサー１２，路面センサー１３、ワイパーセンサー１４，傾斜角センサー１５、前照灯センサー１６ａ及び照度センサー１６ｂのうちいずれかまたは全部を含んでもよい。
また、図１Ａは、図１に示す車両の路面描画装置３の変形例である３’を含む車両の路面描画システム３３を示すものである。図１Ａの車両の路面描画システム３３は、自動運転装置の搭載車両等に利用されるシステムであり、図１の路面描画装置３のうち、車両（図示せず）に搭載された制御部５及び路面描画部６（図示せず）を含む路面描画装置３’と、図１の路面描画装置３のうち、制御部５及び路面描画部６を除いた撮影部７、カーナビゲーションシステム８，道路情報通信システム９、車速センサー１０，レーダーセンサー１１、レインセンサー１２，路面センサー１３、ワイパーセンサー１４，傾斜角センサー１５、前照灯センサー１６ａ及び照度センサー１６ｂによって構成される。
図１Ａの撮影部７、カーナビゲーションシステム８，道路情報通信システム９、車速センサー１０，レーダーセンサー１１、レインセンサー１２，路面センサー１３、ワイパーセンサー１４，傾斜角センサー１５、前照灯センサー１６ａ及び照度センサー１６ｂは、車両外に設置されて（後述する道路監視カメラ７ｂを除いては車両内に設置されても良い）、車両に搭載された路面描画装置３’の制御部５にそれぞれ接続される。
図１Ａに示す路面描画システム３３によれば、路面描画に用いる制御部５及び路面描画部６を含む路面描画装置３’のみを車両（図示せず）に搭載し、その他の構成、即ち撮影部７から照度センサー１６ｂのいずれかまたは全部を車両外に設置されることにより、予め車両に搭載されている既存の車速センサー等のセンサー類やカーナビゲーションシステム等に対して、路面描画装置３’を除いた足りない構成を追加（後付け）することによるシステム構築が可能になる。また、路面描画システム３３によれば、路面描画装置３’以外の構成を車両外に設置し、路面描画装置３’を搭載する複数の車両を１つの路面描画システム３３で制御することで、路面描画装置の簡素化を図ることが出来る。
【００３７】
図１及び図１Ａの制御部５は、撮影部７、カーナビゲーションシステム８，道路情報通信システム９、車速センサー１０，レーダーセンサー１１、レインセンサー１２，路面センサー１３、ワイパーセンサー１４，傾斜角センサー１５、前照灯センサー１６ａ及び照度センサー１６ｂによる検出結果に基づいて路面描画部６を制御し、車両Ｃの走行車線の路面に衝突警告表示２７などの所定形態の路面表示を描画させる。
【００３８】
図１、図１Ａ及び図３によって路面描画部６を説明する。路面描画部６は、光源１８と光偏向装置１９を有し、路面描画ユニット１７の一部を構成する。路面描画ユニット１７は、ユニット本体１７ａに光源１８、光偏向装置１９、リフレクタ等の反射光学部材２０、平凸レンズ等の投影光学部材２１及び光吸収部材２２を設けることで構成される。また、路面描画ユニット１７は、車両前方に開口部を有するランプボディ２ａと、開口部を閉塞する透明または半透明の前面カバー２ｂの内側に形成される灯室Ｓ内に配置されて路面描画用灯具２を構成する。路面描画ユニット１７は、図３に示すようにランプボディ２ａの内側に水平回動可能に保持され、モーター２３などによって中心軸線Ｌ１周りに揺動するように構成される。路面描画ユニット１７は、図１及び図１Ａの制御部５に制御されて左右に傾動し、路面への路面描画表示の照射方向を車両Ｃ前方または斜め前方（リヤコンビネーションランプ４の路面描画ユニット１７においては、後方または斜め前方）のいずれか切り換える。
【００３９】
光源１８は、ＬＥＤ（Ｌｉｇｈｔ Ｅｍｉｔｔｉｎｇ  Ｄｉｏｄｅ）、ＬＤ（Ｌａｓｅｒ  Ｄｉｏｄｅ）、ＥＬ（Ｅｌｅｃｔｒｏ  Ｌｕｍｉｎｅｓｃｅｎｃｅ）素子などの半導体発光素子や、電球、白熱灯（ハロゲンランプ）、放電等（ディスチャージランプ）等を用いることができ、照度が高く白昼においても路面上に視認性の高い表示を描画出来る点でＬＤ素子を用いることが特に望ましい。光源１８は、例えば、前方への光は白色、黄色等を発生照射するようにし、後方には、赤色等の色の光を照射するようにする。
【００４０】
反射光学部材２０は、光源１８の光を光偏向装置１９に反射する。光偏向装置１９は、投影光学部材２１の光軸上に配置され、反射光学部材２０による反射光を選択的に投影光学部材２１へ再反射して、路面描画用灯具２の外に出射する。車両用前照灯１の路面描画用灯具２を出射した光は、路面描画ユニット１７の水平揺動に基づいて車両Ｃの前方から斜め前方の範囲に後述する形態の路面表示を描画する。
【００４１】
図１、図１Ａ、図３、図４に示す本実施形態における光偏向装置１９には、マイクロミラーデバイスの１つであるＤＭＤ（Ｄｉｇｉｔａｌ  Ｍｉｒｒｏｒ  Ｄｅｖｉｃｅ）が用いられている。図４（ａ）に示すように、光偏向装置１９は、表面に反射面２４ａを有する複数の微小なミラー素子２４がマトリックス状に配置されたマイクロミラーアレイ２５を備える。光偏向装置１９は、ミラー素子２４の反射面２４ａの光出射側に配置された透明なカバー材２６を有する。
【００４２】
マイクロミラーアレイ２５の各ミラー素子２４は、光源１８から出射された光を所望の配光パターンとして利用されるように投影光学部材２１へ向けて発射するＯＮ状態（図４（ｂ）に示す実線位置）と、光源１８から出射された光を有効に利用しないように光吸収部材２２に反射するＯＦＦ状態（図４（ｂ）に示す破線位置）とに切り替え可能に構成されており、具体的には、各ミラー素子２４は、回動軸を中心に、ＯＮ状態とＯＦＦ状態とを回動切り替え可能に構成されている。各ミラー素子２４は、出射した光の一部を投影光学部材２１に出射し、それ以外の光を有効に利用されないように光吸収部材２２に反射する。マイクロミラーアレイ２５は、マトリックス状に配置された多数のミラー素子２４のオン／オフ状態を独立に制御することで、所望の投影画像による配光パターン等を得ることができる。
【００４３】
また、図４各図に示すマイクロミラーアレイ２５は、各ミラー素子２４のオン／オフの切り替えを高速で行った際のＯＮの時間比率調整により、光の明暗の段階表現を行い、白色光の反射光をモノクロで表現する。また、各ミラー素子２４の反射光を所望の色に表現する場合には、光源１８に赤色、緑色、青色等の三色以上の光源ユニットを用いて、時分割で光偏向装置１９へ照射すると共に、１秒間に数千回の割合でミラー素子オン／オフを切り替えて、人間の目の錯覚（残像効果）を起こすことによって反射光を見た人間に混合光として認識させる。その結果、微小なミラー素子２４は、所定の明暗を有する多彩な色を表現し、光偏向装置１９は、独立して制御される多数のミラー素子２４によって所定の明るさと色を有しつつマトリックス状に出射する光点の集合によって所望の形態のマーク、即ち衝突警告表示等を路面に描画することができる。
【００４４】
尚、光偏向装置１９には、ＤＭＤの代わりに、高速で二次元方向に揺動可能な反射鏡によって光源からの光を反射し、反射光を二次元方向に高速で走査して所望の形態のマークを路面に描画する走査機構を採用してもよく、回転型スキャナ、ガルバノスキャナ、レゾナントスキャナ、光ＭＥＭＳ（Micro Electro Mechanical Systems）スキャナまたはポリゴンミラー等を幅広く採用出来る。
【００４５】
図１及び図１Ａに示す車両の路面描画装置３の撮影部７は、図１に示すように車載カメラ７ａ、道路監視カメラ７ｂ及び画像処理装置７ｃによって構成され、車両Ｃの周辺を撮影した画像から車両Ｃが走行する走行車線の形態を検出する車線形態検出部として機能し、または、走行車線上や走行車線近傍の路上障害物の有無と車両Ｃからの位置を検出する障害物検出部として機能する。
【００４６】
車載カメラ７ａは、図２に示されるように車両Ｃの前方周辺を撮影出来るように左右の車両用前照灯１のいずれかに内蔵（本実施形態では右用に内蔵）され、または車体の天井の上面、ボンネット、ドアミラー等や車両Ｃの周辺を撮影出来る位置に搭載されて、搭載された車両Ｃの周辺を撮影する。道路監視カメラ７ｂは、道路に設置されて接近した車両Ｃの周辺を撮影する。画像処理装置７ｃは、車両Ｃに搭載され、車載カメラ７ａによる撮影画像または通信回線を介して送信される道路監視カメラ７ｂによる撮影画像を画像解析することによって車両Ｃの走行車線の形態及び路上障害物の有無と位置を検出し、検出結果を制御部５に出力する。
【００４７】
撮影部７によって検出される走行車線の形態には、直線道路、曲線道路、曲がり角、交差点、Ｔ字路等があり、路上障害物には、車両Ｃの走行車線上や走行車線近辺の通行人、対向車線や交差道路を走る他の車両、及び、走行車線上の落下物等がある。
【００４８】
カーナビゲーションシステム８及び道路情報通信システム９は、自己が保有し、または通信回線を介して送信される道路の形態、降雨、降雪、路面凍結等に関する道路情報と、ＧＮＳＳ（Global Navigation Satellite Systemの略）やＧＰＳ（登録商標：Global Positioning Systemの略）等の衛星測位システムによって得られる自車の位置情報から、車両Ｃが走行する走行車線の形態を検出する車線形態検出部、自車の位置情報の変化から車両Ｃの車速を検出する車速検出部、降雨、降雪、路面凍結等の道路情報から車両Ｃが走行する道路の湿潤の有無を検出する湿潤路面検出部、道路情報から車両Ｃが走行する道路の勾配を検出する道路勾配検出部として機能し、検出結果を制御部５に出力する。
【００４９】
図１及び図１Ａの車速センサー１０は、車両Ｃの速度を検出して制御部５に出力する速度検出部として機能する。
【００５０】
図１及び図１Ａのレーダーセンサー１１は、マイクロ波レーダーセンサーやミリ波レーダーセンサー等であり、車両Ｃが走行する道路の走行車線上や走行車線近傍の路上障害物の有無と車両Ｃからの位置を検出する障害物検出部として機能し、検出結果を制御部５に出力する。
【００５１】
図１及び図１Ａのレインセンサー１２は、車両Ｃに搭載されて、フロントガラスや車体に接触する雨滴や雪の存在を検出する雨滴センサー等であって、車体Ｃにおける雨滴や雪の検出を走行車線の路面に湿潤があるものとして制御部５に出力する湿潤路面検出部として機能する。
【００５２】
図１及び図１Ａの路面センサー１３は、車両Ｃに搭載されて、路面に照射した赤外線レーザー波等の反射を解析して降雨などによる路面上の水、雪、凍結による氷を検出するセンサーであって、路面上の水、雪、氷の検出を走行車線の路面に湿潤があるものとして制御部５に出力する湿潤路面検出部として機能する。
【００５３】
図１及び図１Ａのワイパーセンサー１４は、車両Ｃのワイパーのオンとオフとの切り替えを検出するセンサーであって、手動または自動によるワイパーのオフからオンへの切替検出を走行車線の路面に湿潤があるものとして制御部５に出力する湿潤路面検出部として機能する。
【００５４】
図１及び図１Ａの傾斜角センサー１５は、搭載された車両Ｃの傾斜を検出するセンサーであって、道路上における水平方向からの車両Ｃの傾斜角によって走行中の道路の上り勾配や下り勾配を検出する道路勾配検出部として機能する。本実施形態においては、一例として、車両Ｃが水平状態にあるときの角度を基準角０°とし、車両Ｃの前端が運転席よりも上に位置する登り方向に傾斜した際の傾斜角をプラス角とし、車両Ｃの前端が運転席よりも下に位置する下り方向に傾斜した際の傾斜角をマイナス角とした場合、傾斜角センサー１５は、車両Ｃに関するプラス角の検出を走行中の道路の登り勾配として検出し、マイナス角の検出を走行中の道路の下り勾配として検出し、制御部５に出力する。
【００５５】
図１及び図１Ａの前照灯センサー１６ａは、車両Ｃに搭載されて、車両用前照灯１の点灯及び消灯の切り替えを検出するセンサーであって、手動または自動による車両Ｃの車両用前照灯１の消灯から点灯への切替を検出した際に走行中の道路が暗くなったものとして制御部５に出力する明暗検出部として機能する。また、照度センサー１６ｂは、車両Ｃに搭載されて、車両Ｃまたはその周辺道路等に照射された光の明るさを検出するセンサーであって、照射光が一定の明るさを下回った際に走行中の道路が暗くなったものとして制御部５に出力する明暗検出部として機能する。
【００５６】
本実施形態における路面描画部６を含む路面描画用灯具２は、一例として図２に示すように車両Ｃの前方の路面に帯状に伸びる衝突警告表示２７を描画する。衝突警告表示２７は、撮影部７，カーナビゲーションシステム８，または道路情報通信システム９のいずれかによって構成される車線形態検出部によって検出される車両Ｃが走行中の走行車線の形態に基づき、車両Ｃが走行中の曲線形態等を有する走行車線の内側に走行車線に沿って車両Ｃから曲線道路上における停止可能位置まで描画される。また、上述した湿潤路面検出部及び道路勾配検出部は、車両の制動距離の変化を検出する制動距離変化検出部として機能する。
【００５７】
次に図５により、曲線道路２８を走行中の車両Ｃにおける衝突警告表示に関する第１実施例を説明する。まず、曲線道路２８の走行車線２８ａ上を走行中の車両Ｃにおいて、図１及び図１Ａに示す路面描画装置３の撮影部７の車載カメラ７ａや道路監視カメラ７ｂが、曲線道路２８の全体，曲線道路２８の近傍の歩行者２９，走行車線２８ａに交差する交差道路３１へ対向車線２８ｂ上から右折しようとする対向車３０を撮影し、撮影画像を画像処理装置７ｃによって画像処理して制御部５へ出力する。または、カーナビゲーションシステム８や道路情報通信システム９は、車両Ｃの位置情報と走行中の道路情報を制御部５に出力する。
【００５８】
図１及び図１Ａに示す路面描画装置３の制御部５は、撮影部７の撮影データを画像解析して車両Ｃの前方の走行車線２８ａの左側のレーンマーク２８ｃと右側の中央分離帯２８ｄに関する位置、曲率、長さなどを算出して車両Ｃの前方の走行車線２８ａの形態と位置を取得する。または、制御部５は、カーナビゲーションシステム８や道路情報通信システム９から受けた車両Ｃの位置情報と走行中の道路情報から走行車線２８ａの形態及び位置情報を取得する。
【００５９】
一方、制御部５は、車速センサー１０、カーナビゲーションシステム８または撮影部７による周辺画像の解析から得られる走行中の車両Ｃの速度情報に基づいて車両Ｃの制動距離を算出し、当該制動距離に基づいて車両Ｃの前方の停止可能位置を算出する。
【００６０】
図１及び図１Ａの制御部５は、取得した走行車線２８ａの形態及び位置情報と、算出した車両Ｃの停止可能位置に基づき、図５に示すように走行車線２８ａのレーンマーク２８ｃと中央分離帯２８ｄの内側の路面に曲線かつ帯状の衝突警告表示２７を描画するように路面描画部６を制御する。曲線かつ帯状の衝突警告表示２７は、レーンマーク２８ｃに倣った曲線状の左縁部２７ａと、中央分離帯２８ｄに倣った曲線状の右縁部２７ｂと、車両Ｃが停止するようにブレーキをかけられた際の停止可能位置を示す先端の前縁部２７ｃと、車両Ｃの前方における近傍位置を示す後縁部２７ｄを有し、走行車線２８ａからはみ出ないように描画される。また曲線かつ帯状の衝突警告表示２７は、車両Ｃの前方における近傍位置を示す後縁部２７ｄから停止可能位置を示す前縁部２７ｃまで走行車線２８ａの中央部分に沿った長さＬ１を有するように描画される。
【００６１】
また、図１及び図１Ａの制御部５は、車速検出部によって検出される走行中の車両Ｃの車速の変化に基づいて制動距離と停止可能位置を再算出し、衝突警告表示２７の前縁部２７ｃの位置を前後に変化させる。例えば、長さＬ１の衝突警告表示２７を描画する車両Ｃが増速した場合、車両Ｃの制動距離が伸びて停止可能位置が車両Ｃから遠ざかるため、制御部５は、停止可能位置の変化に基づいて衝突警告表示２７の後縁部２７ｄからの長さをＬ１からＬ３に引き延ばし、前縁部２７ｃを２７ｃ２の位置まで前進させる。一方、長さＬ１の衝突警告表示２７を描画する車両Ｃが減速した場合、車両Ｃの制動距離が短くなって停止可能位置が車両Ｃに近づくため、制御部５は、停止可能位置の変化に基づいて衝突警告表示２７の後縁部２７ｄからの長さをＬ１からＬ２に短くし、前縁部２７ｃを２７ｃ１の位置まで後退させる。
【００６２】
車両Ｃのドライバーは、衝突警告表示２７を視認することにより、現在の車速において停止可能位置を示す前縁部２７ｃより手前の位置で歩行者等が走行車線２８ａ上に侵入すると、減速しても間に合わずに衝突してしまうことを警告される。従って、車両Ｃのドライバーは、図５の交差道路３１に衝突警告表示２７の前縁部２７ｃがかからないように減速を促されることにより、交差道路近傍で道を横切ろうとする歩行者２９や右折待ちをする対向車３０に対する衝突のおそれを回避出来る。
【００６３】
尚、図１及び図１Ａの制御部５は、撮影部７による画像解析やレーダーセンサー１１によって走行車線２８ａ近傍の歩行者２９、対向車３０等の路上障害物を検出したことに基づいて、路面描画部６に衝突警告表示２７を描画させるように制御することも出来る。このようにすることで、車両Ｃのドライバーは、路上障害物の検出時にのみ衝突警告表示２７が発せられることで、路上障害物が現実に近づいていることを認識してより慎重な運転を促される。
【００６４】
更に、図１及び図１Ａの制御部５は、撮影部７やレーダーセンサー１１を介して歩行者２９や対向車３０等の路上障害物の存在と位置を検出した場合、図５に示すように車両Ｃの近傍から検出した歩行者２９、対向車３０、その他の図示しない路上障害物の近傍までそれぞれ伸びる第２の衝突警告表示３２ａ、３２ｂを路面に描画することが望ましい。このようにすることで、車両Ｃのドライバーは、歩行者や路上障害物の具体的な位置を予め認識することが出来るため、停止可能位置を示す衝突警告表示２７の前縁部２７ｃを検出された歩行者や対向車の位置から遠ざけるように減速を促され、これらとの衝突のおそれを回避出来る。
【００６５】
尚、図６は、降雨等による水、雪、路面凍結による氷等によって走行中の曲線道路が湿潤化した曲線道路２８を走行中の車両Ｃにおける衝突警告表示に関する第２実施例を示す。図１のレインセンサー１２、路面センサー１３、ワイパーセンサー１４、車両Ｃの現在位置における雨雲レーダー情報を取得するカーナビゲーションシステム８や道路情報通信システム９によって車両Ｃの現在位置における曲線道路２８の走行車線２８ａの湿潤化が検出された場合、制御部５は、車両Ｃの制動可能距離が長くなることに基づいて、停止可能位置を再算出し、衝突警告表示２７の後縁部２７ｄからの長さをＬ１からＬ１‘まで引き延ばし、停止可能位置を示す前縁部２７ｃを２７ｃ３の位置まで前進させるように路面描画部６を制御し、車両Ｃのドライバーに晴天時よりも速い減速を促すことによって路上障害物との衝突のおそれを回避させる。
【００６６】
また、図７の各図は、登り勾配や下り勾配を有する曲線道路を走行中の車両Ｃにおける衝突警告表示に関する第３実施例を示す。図７の各図においては、上下の勾配を説明する便宜上、側面から見た図としているために、車両Ｃが直線道路を走行しているように記載しているが、実際は曲線道路を走行している。
【００６７】
図１及び図１Ａの制御部５は、傾斜角センサー１５によって検出される車両Ｃの傾斜角が０°を示し、またはカーナビゲーションシステム８、道路情報通信システム９によって取得される車両Ｃの現在位置における曲線道路２８が平坦であることを示した場合、車速検出部によって算出される車両の停止可能位置に基づいて、図７（ｂ）に示すように車両の近傍を示す後縁部２７ｄからの車両の停止位置を示す前縁部２７ｃまでの長さがＬ１となる衝突警告表示２７を曲線道路２８の走行車線２８ａの内側に表示する。
【００６８】
一方で、図１及び図１Ａの制御部５は、傾斜角センサー１５によって検出される車両Ｃの傾斜角がプラス角を示し、またはカーナビゲーションシステム８、道路情報通信システム９によって取得される車両Ｃの現在位置における曲線道路２８の道路情報が登り勾配であることを示した場合、制動距離がより短くなることに基づいて車両の停止可能位置を再算出し、図７（ａ）に示すように衝突警告表示２７の後縁部２７ｄからの長さをＬ１からＬａ１に短くし、前縁部２７ｃを２７ｃ４の位置まで後退させる。
【００６９】
また、制御部５は、傾斜角センサー１５によって検出される車両Ｃの傾斜角がマイナス角を示し、またはカーナビゲーションシステム８、道路情報通信システム９によって取得される車両Ｃの現在位置における曲線道路２８の道路情報が下り勾配であることを示した場合、制動距離がより長くなることに基づいて車両の停止可能位置を再算出し、図７（ｃ）に示すように衝突警告表示２７の後縁部２７ｄからの長さをＬ１からＬａｂまで長くし、前縁部２７ｃを２７ｃ５の位置まで前進させる。このようにすることで、車両Ｃのドライバーは、勾配に基づいて変化する曲線道路２８における停止可能位置を正確に理解することにより、特に下り勾配の道路を走行中に水平な道路や上り勾配の道路を走行しているときよりも速い減速を促すことによって路上障害物との衝突のおそれを回避させる。
【符号の説明】
【００７０】
３、３’  路面描画装置
５        制御部
６        路面描画部
７        撮影部
７ａ      車載カメラ（車線形態検出部及び障害物検出部）
７ｂ    道路監視カメラ
７ｃ    画像処理装置
８      カーナビゲーションシステム（車線形態検出部等）
９      道路情報通信システム（車線形態検出部等）
１０    車速センサー（車速検出部）
１１    レーダーセンサー（障害物検出部）
１２    レインセンサー（湿潤路面検出部）
１３    路面センサー（湿潤路面検出部）
１４    ワイパーセンサー（湿潤路面検出部）
１５    傾斜角センサー（道路勾配検出部）
１６ａ    前照灯センサー（明暗検出部）
１６ｂ    照度センサー（明暗検出部）
２７    衝突警告表示
２７ｃ  停止可能地位を示す前縁部
２８ａ  曲線道路の走行車線
２９    歩行者（路上障害物）
３０    対向車（路上障害物）
３２ａ、３２ｂ  第２の衝突警告表示。
Ｃ      路面描画装置の搭載車両
【図１】
2020075708.tif 000003
【図１Ａ】
2020075708.tif 000004
【図２】
2020075708.tif 000005
【図３】
2020075708.tif 000006
【図４】
2020075708.tif 000007
【図５】
2020075708.tif 000008
【図６】
2020075708.tif 000009
【図７】
2020075708.tif 000010